(57)【要約】【課題】紛失した端末のおおよその場所を特定でき、ユーザが端末を探索するために移動すべき方向を示すことでユーザの利便性を向上させる無線通信端末を提供する。【解決手段】無線通信端末２００は、ＧＰＳ測位機能と電子コンパス機能とを有し、無線基地局３００との無線通信によって探索対象の無線通信機器１００の位置情報を取得する。無線通信端末２００は、発呼等による無線基地局３００との通信により、無線通信機器１００が使用している無線チャネルを推定し、推定した無線チャネルの受信レベルをディスプレイに表示することで、受信レベルの高低により無線通信機器１００との距離が近づいたか否かを表示する。無線通信端末２００は、ディスプレイに自端末の位置と探索対象の無線通信機器１００の位置とを表示し、電子コンパス機能によりユーザが移動すべき方向を示すようにディスプレイの表示内容を制御する。【選択図】図１
2014175858.tif 000002
【特許請求の範囲】
【請求項１】
無線通信端末であって、
無線基地局との無線通信に基づいて、前記無線通信端末以外の装置である無線通信機器の位置情報を、前記無線基地局を介して取得する位置取得部と、
前記無線通信端末の位置を測位する測位部と、
前記無線基地局の１以上の無線チャネルの受信レベルに基づいて、前記無線通信機器が無線通信に使用している無線チャネルを推定する無線チャネル推定部と、
前記無線通信機器の位置情報と、前記測位により得られた前記無線通信端末の位置とに基づいて、前記無線通信端末を基準とした前記無線通信機器が存在する方向を示す表示と、前記推定された無線チャネルの受信レベルに応じた表示とを行う表示部と、を備える、無線通信端末。
【請求項２】
前記無線チャネル推定部は、
前記無線通信機器への発呼前後において前記無線通信端末が受信している１以上の無線チャネルの受信レベルを測定し、測定された無線チャネルの受信レベルの前記発呼前後における変化量に基づいて、前記無線通信機器の無線チャネルの推定を行う、請求項１に記載の無線通信端末。
【請求項３】
前記位置取得部は、前記無線基地局の位置情報を取得し、
前記表示部は、
前記無線通信端末の位置を基準として前記無線通信機器の位置と前記無線基地局の位置とが同方向にある場合であって、前記無線基地局の位置が前記無線通信機器より前記無線通信端末に近い位置にあるときに、前記無線基地局と前記無線通信機器との位置関係を表示する、請求項１に記載の無線通信端末。
【請求項４】
前記位置取得部は、
前記無線通信機器のＧＰＳ（Global  Positioning  System）測位による測位結果または前記無線基地局の基地局測位による測位結果を前記無線通信機器の位置情報として取得する、請求項１に記載の無線通信端末。
【請求項５】
無線通信端末の動作を制御するためのプログラムであって、前記無線通信端末は、プロセッサと、メモリとを備え、
前記プログラムは、前記プロセッサに、無線基地局との無線通信に基づいて、前記無線通信端末以外の装置である無線通信機器の位置情報を、前記無線基地局を介して取得するステップと、
前記無線通信端末の位置を測位するステップと、
前記無線基地局の１以上の無線チャネルの受信レベルに基づいて、前記無線通信機器が無線通信に使用している無線チャネルを推定するステップと、
前記無線通信機器の位置情報と、前記測位により得られた前記無線通信端末の位置とに基づいて、前記無線通信端末を基準とした前記無線通信機器が存在する方向を示す表示と、前記推定された無線チャネルの受信レベルに応じた表示とを行うステップとを実行させる、プログラム。
【発明の詳細な説明】
【技術分野】
【０００１】
本発明は、紛失時等における無線通信端末の探索を容易にするための技術に関する。
【背景技術】
【０００２】
無線通信端末は、近年、小型化、軽量化、高性能化が進み、ユーザにとってますます利便性が高まっている。例えば、ユーザは、無線通信端末に搭載されたＧＰＳ（Global  Positioning  System）機能を利用して現在地および目的地の位置を確認することができる。
【０００３】
ユーザが無線通信端末を携帯する機会がますます増えており、無線通信端末を置き忘れる等により紛失する機会も増えている。また、ひとたび無線通信端末を紛失すると、その探索も容易ではない。
【０００４】
このような問題に対処するため、ユーザが無線通信端末を紛失した場合でも、無線通信端末の通信機能を利用して、無線通信端末の探索を容易にするための技術が知られている。例えば、特開２００７−３２９５７０号公報（特許文献１）によると、紛失物の携帯端末装置または無線通信装置を容易に探索して発見することが可能な近距離無線通信システムが記載されている。特許文献１には、無線通信装置の通常時における近距離無線通信可能エリアよりも、サーチモード時におけるエリアを大きくし、紛失物の装置と手元にある装置との距離が短くなって通信が回復した際にアラーム等によって報知する技術が記載されている。
【先行技術文献】
【特許文献】
【０００５】
【特許文献１】特開２００７−３２９５７０号公報
【発明の概要】
【発明が解決しようとする課題】
【０００６】
しかし、特許文献１に記載された技術によると、紛失物のおおよその位置がわからないと紛失物を探索することができない。また、紛失物を探索するために探索者がどの方向に移動すればよいか判別することが困難な場合がある。
【０００７】
したがって、ユーザの利便性を向上させるため、紛失した装置のおおよその場所を特定し、探索者がどの方向に移動すればよいかを容易に把握することができる技術が必要とされている。
【課題を解決するための手段】
【０００８】
一実施形態に従う無線通信端末は、無線基地局との無線通信に基づいて、無線通信端末以外の装置である無線通信機器の位置情報を、無線基地局を介して取得する位置取得部と、無線通信端末の位置を測位する測位部と、無線基地局の１以上の無線チャネルの受信レベルに基づいて、無線通信機器が無線通信に使用している無線チャネルを推定する無線チャネル推定部と、無線通信機器の位置情報と、測位により得られた無線通信端末の位置とに基づいて、無線通信端末を基準とした無線通信機器が存在する方向を示す表示と、推定された無線チャネルの受信レベルに応じた表示とを行う表示部と、を備える。
【０００９】
別の実施形態に従うと、無線通信端末の動作を制御するためのプログラムが提供される。無線通信端末は、プロセッサと、メモリとを備える。プログラムは、プロセッサに、無線基地局との無線通信に基づいて、無線通信端末以外の装置である無線通信機器の位置情報を、無線基地局を介して取得するステップと、無線通信端末の位置および方位を測位するステップと、無線基地局の１以上の無線チャネルの受信レベルに基づいて、無線通信機器が無線通信に使用している無線チャネルを推定するステップと、無線通信機器の位置情報と、測位により得られた無線通信端末の位置とに基づいて、無線通信端末を基準とした無線通信機器が存在する方向を示す表示と、推定された無線チャネルの受信レベルに応じた表示とを行うステップとを実行させる。
【発明の効果】
【００１０】
上記一実施形態によると、ユーザに対し、紛失した無線通信機器のおおよその場所の特定と、探索者であるユーザが移動すべき方向の把握とを容易に行わせることができ、ユーザの利便性を向上させることができる。
【００１１】
この発明の上記および他の目的、特徴、局面および利点は、添付の図面と関連して理解されるこの発明に関する次の詳細な説明から明らかとなるであろう。
【図面の簡単な説明】
【００１２】
【図１】実施の形態１の無線通信端末の利用状況を示す図である。
【図２】実施の形態１の無線通信機器１００と無線通信端末２００との構成を示す機能ブロック図である。
【図３】チャネルテーブル２７を示す図である。
【図４】実施の形態１の無線通信端末２００が探索対象の無線通信機器１００の位置情報を取得するための処理を示すフローチャートである。
【図５】実施の形態１の無線通信端末２００が探索対象の無線通信機器１００の位置情報を表示するための処理を示すフローチャートである。
【図６】実施の形態１における表示部２５の表示の具体例を示す図である。
【図７】探索対象の無線通信機器１００が無線基地局よりも遠くにある場合の表示部２５の表示の例を示す図である。
【図８】表示部２５の表示の例を示す図である。
【図９】表示部２５の表示の例を示す図である。
【発明を実施するための形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１４】
＜実施の形態１＞
＜概要＞
図１は、実施の形態１の無線通信端末の利用状況を示す図である。図１において、ユーザは無線通信機器１００を紛失しており、紛失した無線通信機器１００を探索するために無線通信端末２００を操作している。
【００１５】
無線通信機器１００と無線通信端末２００とは、例えば移動体通信システムに対応したスマートフォンやタブレット端末などである。無線通信端末２００は、無線通信機器１００および無線通信端末２００の無線通信機能を利用して、紛失物である無線通信機器１００の位置を無線通信端末２００のディスプレイに表示する。本実施形態において、無線通信端末２００は、具体的には、無線基地局３００の位置情報と、ＧＰＳ測位による無線通信機器１００の位置情報とを取得し、取得した位置情報の精度に応じて紛失物のおおよその位置を推定する。無線通信端末２００は、推定した位置を、例えば地図情報とともにディスプレイに表示する。また、無線通信端末２００は、電子コンパス機能を備えている。無線通信端末２００は、地図情報の方角を表示することや、ユーザが無線通信端末２００を向けている方向に応じて地図情報を回転させて表示することなどにより、無線通信機器１００を探索するためにユーザが移動すべき方向をディスプレイに表示する。
【００１６】
＜構成＞
図２を参照して、無線通信機器１００と無線通信端末２００との構成を説明する。図２は、実施の形態１の無線通信機器１００と無線通信端末２００との構成を示す機能ブロック図である。
【００１７】
無線通信端末２００は、操作受付部２０と、アンテナ２１と、無線通信部２２と、記憶部２３と、測位部２４と、表示部２５と、制御部２６とを含む。
【００１８】
操作受付部２０は、無線通信端末２００に対するユーザの入力操作を受け付けて操作信号を制御部２６へ出力する。操作受付部２０は、例えば静電容量方式のタッチパネルであり、ユーザの接触操作を受け付ける。
【００１９】
アンテナ２１は、無線通信端末２００が送信する信号を電波として放射する。また、アンテナ２１は、空間から電波を受信して受信信号を無線通信部２２へ出力する。
【００２０】
無線通信部２２は、高周波回路などを含む通信モジュールであり、無線通信端末２００が送受信する無線通信信号の変復調や周波数変換を行う。通信方式は、例えば、ＬＴＥ（Long  Term  Evolution）、ＵＭＴＳ（Universal  Mobile  Telecommunications  System）などの移動体通信システムがある。また、無線通信部２２は、Ｂｌｕｅｔｏｏｔｈ（登録商標）などの近距離無線通信規格や、ＩＥＥＥ８０２．１１などの無線ＬＡＮ（Local  Area  Network）規格などに対応している。無線通信端末２００が複数の通信方式に対応する場合、これら通信方式に対応してアンテナ２１と無線通信部２２とを複数備えてもよい。
【００２１】
記憶部２３は、フラッシュメモリ等により構成され、アプリケーション、通信設定および地図情報など無線通信端末２００が使用するデータを記憶するための記憶領域を含む。記憶部２３は、チャネルテーブル２７を記憶している。チャネルテーブル２７は、後述する処理により発呼前のチャネルの受信レベルと発呼後のチャネルの受信レベルとを管理するためのテーブルである。
【００２２】
測位部２４は、例えばＧＰＳモジュール、電子コンパス機能を有し、無線通信端末２００の位置の測定や、無線通信端末２００が向いている方向の検出を行う。
【００２３】
表示部２５は、メニュー画面、無線基地局３００との通信状況および地図情報などを表示する。表示部２５は、例えばＬＣＤ（Liquid  Crystal  Display）や有機ＥＬ（electroluminescence）ディスプレイによって実現される。
【００２４】
制御部２６は、ＣＰＵ等により構成され、プログラムに従って動作することによって、通信制御部２８、表示制御部２９および無線チャネル推定部３０などの機能を発揮して無線通信端末２００の動作を制御する。通信制御部２８は、無線通信部２２の動作を制御して無線通信端末２００が無線基地局３００および他の通信装置と通信接続してデータを送受信する処理を制御する。例えば、通信制御部２８は、チャネルＣＨ（Ｂ）によって無線基地局３００と無線通信を行う処理と、後述する処理によって無線基地局３００と無線通信することで無線通信機器１００のＧＰＳ測位による位置情報を、無線基地局３００を介して取得する処理などを行う。表示制御部２９は、処理に応じて映像信号を表示部２５へ出力することで、無線通信端末２００における表示処理を制御する。無線チャネル推定部３０は、詳しくは後述するが、無線通信端末２００が受信可能な無線チャネルそれぞれの受信レベルに基づいて、無線通信機器１００が無線通信に使用している無線チャネルを推定する処理を実行する。
【００２５】
無線通信機器１００は、操作受付部１０と、アンテナ１１と、無線通信部１２と、記憶部１３と、測位部１４と、表示部１５と、制御部１６とを含む。また、無線通信機器１００は、チャネルＣＨ（Ａ）によって無線基地局３００と無線通信を行っている。無線通信機器１００は、無線通信端末２００と同等の構成を含むため各ブロックの説明を繰り返さない。すなわち、操作受付部１０は操作受付部２０と、アンテナ１１はアンテナ２１と、無線通信部１２は無線通信部２２と、記憶部１３は記憶部２３と、測位部１４は測位部２４と、表示部１５は表示部２５と、制御部１６は制御部２６とそれぞれ対応している。また、通信制御部１８および表示制御部１９は、通信制御部２８および表示制御部２９と対応している。なお、本実施の形態では、記憶部１３が記憶部２３と異なりチャネルテーブル２７を保持せず、制御部１６が、無線チャネル推定部３０の機能を有していない例を示しているが、無論、記憶部１３が記憶部２３と同様にチャネルテーブル２７を保持し、制御部１６が、無線チャネル推定部３０の機能を有していてもよい。
【００２６】
＜データ構造＞
図３を参照して、記憶部２３に記憶されるチャネルテーブル２７について説明する。図３は、チャネルテーブル２７に格納されるデータを示す図である。
【００２７】
無線通信端末２００は、無線通信機器１００を探索する際、後述する処理により、発呼前後の各チャネルの受信レベルを測定することで、探索対象の無線通信機器１００が使用しているチャネルを推定する。無線通信端末２００は、無線通信端末２００が利用可能な各チャネルの受信レベルを測定してチャネルテーブル２７に格納する。チャネルテーブル２７の１件のレコードは、チャネル４１と、発呼前受信レベル４２と、発呼中受信レベル４３とを含む。
【００２８】
チャネル４１は、無線通信端末２００が受信レベルを測定したチャネルを特定するための情報を示す。発呼前受信レベル４２は、後述する処理において無線通信端末２００が発呼動作を行う前に測定した各チャネルの受信レベルを示す。発呼中受信レベル４３は、後述する処理において無線通信端末２００が発呼動作を行っている間に測定した各チャネルの受信レベルを示す。
【００２９】
＜動作＞
以下、無線通信端末２００の動作を説明する。
【００３０】
（１）無線通信端末２００は、ＧＰＳ機能および電子コンパス機能を備えている。無線通信端末２００は、探索対象の無線通信機器１００のおおよその位置を推定し、無線通信機器１００が存在する方向を表示部２５に表示する。これにより、無線通信端末２００のユーザは、どの方向に移動すればよいかを知ることができる。無線通信端末２００は、無線通信機器１００が無線通信に使用しているチャネルを推定し、推定したチャネルの受信レベルの大きさを表示部２５に表示する。これにより、無線通信端末２００のユーザは、受信レベルの大きさの変化に基づいて、当該ユーザが無線通信機器１００に近づいているかどうかを容易に判断することができる。
【００３１】
（２）無線通信端末２００は、無線通信機器１００の位置情報を、無線基地局による測位と、ＧＰＳ測位とを利用することで取得する。無線通信端末２００は、無線通信機器１００が電波を受信している無線基地局（無線基地局３００）の緯度および経度などの情報を取得して、無線通信機器１００のおおよその位置を推定する。無線基地局から取得する位置情報の精度は、無線基地局がカバーするエリアの広さに応じたものとなり、例えば数キロメートル程度の測位誤差が発生しうる。無線通信機器１００がＧＰＳ機能を備えている場合、無線通信端末２００は、無線通信機器１００のＧＰＳ測位によって得られた位置情報を取得して無線通信機器１００のおおよその位置を特定する。位置情報の精度はＧＰＳ測位の精度に応じて定まり、例えば数十メートルから数百メートル程度の測位誤差が発生し得る。無線通信端末２００は、取得した無線通信機器１００の位置情報と、自端末の位置情報とを表示部２５に表示することにより、ユーザに対し、ユーザが無線通信機器１００を探索するために移動すべき方向を表示することができる。また、電子コンパス機能により、無線通信端末２００が向いている方角を表示部２５に表示してもよい。
【００３２】
（３）無線通信端末２００は、無線通信機器１００が無線通信に使用しているチャネルを調査し、そのチャネルの受信レベルを表示部２５に表示する。こうすることで、無線通信端末２００は、無線通信端末２００を操作するユーザが無線通信機器１００に近づいているか判断するための情報をユーザに提示する。無線通信機器１００が使用しているチャネルを推定するため、無線通信端末２００は、無線通信機器１００に発呼する前後の各チャネルの受信レベルをサーチする。無線通信端末２００は、発呼前後の受信レベルを各チャネルについて比較することで、無線通信機器１００が使用しているチャネルを推定する。
【００３３】
図４および図５を参照して、具体的な処理を説明する。図４は、実施の形態１の無線通信端末２００が探索対象の無線通信機器１００の位置情報を取得するための処理を示すフローチャートである。図５は、実施の形態１の無線通信端末２００が探索対象の無線通信機器１００の位置情報を表示するための処理を示すフローチャートである。
【００３４】
図４を参照して、制御部２６は、無線通信機器１００を探索するための処理を開始すると、ステップＳ４１において、無線通信端末２００が受信している全てのチャネルをサーチして、各チャネルの受信レベルの測定を開始する。
【００３５】
ステップＳ４３において、制御部２６は、各チャネルの受信レベルを測定している間、ユーザが無線通信端末２００を保持したまま無線通信端末２００を旋回させることを促す画面を表示部２５に表示させる。アンテナ２１に指向性がある場合、アンテナ２１は、特定の方向において受信感度が高感度となるため、無線通信端末２００は、チャネルのサーチ時に無線通信端末２００を旋回させるようユーザに促すことで各チャネルの受信レベルの測定の精度を向上させている。
【００３６】
ステップＳ４５において、制御部２６は、ステップＳ４１で測定した各チャネルの受信レベルを、チャネルテーブル２７の発呼前受信レベル４２として格納する。
【００３７】
ステップＳ４７において、制御部２６は、無線通信機器１００への発呼処理を開始する。
【００３８】
ステップＳ４９において、制御部２６は、無線通信機器１００への発呼中に、無線通信端末２００が受信している全てのチャネルをサーチして、各チャネルの受信レベルを測定する。
【００３９】
ステップＳ５１において、制御部２６は、各チャネルの受信レベルを測定している間、ユーザが無線通信端末２００を保持したまま無線通信端末２００を旋回させることを促す画面を表示部２５に表示させる。
【００４０】
ステップＳ５３において、制御部２６は、ステップＳ４９で測定した各チャネルの受信レベルを、チャネルテーブル２７の発呼中受信レベル４３として格納する。
【００４１】
ステップＳ５５において、制御部２６は、各チャネルについてチャネルテーブル２７の発呼前受信レベル４２と発呼中受信レベル４３とを比較し、受信レベルの変化を検出する。
【００４２】
図５を参照して、無線通信端末２００の動作の説明を続ける。ステップＳ５７において、制御部２６は、各チャネルの受信レベルの変化に基づいて、無線通信機器１００が無線通信に使用しているチャネルを推定する。例えば、制御部２６は、発呼前受信レベル４２と発呼中受信レベル４３とに基づいて、発呼の前後で受信レベルの変化の割合が最大のチャネルを、無線通信機器１００が使用しているチャネルと推定してもよい。
【００４３】
ステップＳ５９において、制御部２６は、無線基地局と通信し、基地局測位により、無線基地局の位置情報を取得する。
【００４４】
ステップＳ６１において、制御部２６は、無線基地局を経由して図示しない測位サーバーと通信することにより、無線通信機器１００の位置情報を取得する。測位サーバーは、周辺のＧＰＳ衛星や、無線通信機器１００が通信を行っている無線基地局などからの情報を基に無線通信機器１００の位置情報を算出する。なお、無線通信端末２００は、無線通信機器１００によるＧＰＳ測位のみによって得られた無線通信機器１００の位置情報を、無線基地局を経由して直接取得してもよい。例えば、無線通信機器１００には、無線通信機器１００の探索を支援するためのアプリケーションがインストールされている。無線通信機器１００は、無線通信端末２００の要求に応じて無線通信端末２００へ位置情報を送信する。
【００４５】
ステップＳ６３において、制御部２６は、測位サーバーと通信することにより、無線通信端末２００の位置情報を取得する。測位サーバーは、周辺のＧＰＳ衛星や、無線通信端末２００が通信を行っている無線基地局などからの情報を基に無線通信端末２００の位置情報を算出する。なお、この場合も、無線通信端末２００は、無線通信端末２００によるＧＰＳ測位のみによって無線通信端末２００の位置情報を取得してもよい。無線通信端末２００は、探索対象の無線通信機器１００の位置と、無線通信機器１００が電波を受信していると推定される無線基地局の位置（ステップＳ５９で取得した位置情報）とが、無線通信端末２００の位置から略同じ方向にあるか判定する。例えば、無線通信端末２００は、無線通信端末２００の位置と無線通信機器１００の位置とを通る直線と、無線通信端末２００の位置と無線基地局の位置とを通る直線とが成す角度を、予め定めた閾値（例えば、３０度以下）と比較することで上記の判定を行う。無線通信機器１００と無線基地局とが無線通信端末２００の位置から略同じ方向にあると判定される場合（ステップＳ６３においてＹＥＳ）、制御部２６はステップＳ６４の処理を行う。
【００４６】
ステップＳ６４において、制御部２６は、無線通信端末２００の位置から略同じ方向に無線通信機器１００と無線基地局とがあると判定した場合に、無線基地局の方が無線通信機器１００よりも無線通信端末２００に近い位置にあるか否かを判定する。例えば、無線通信端末２００は、無線通信端末２００の位置と、無線通信機器１００の位置と、無線基地局の位置とに基づいて、無線通信端末２００と無線基地局との距離および無線通信端末２００と無線通信機器１００との距離をそれぞれ算出し、算出結果を比較することで上記の判定を行う。制御部２６は、無線基地局の方が無線通信機器１００よりも無線通信端末２００に近い位置にあると判定した場合（ステップＳ６４においてＹＥＳ）、ステップＳ６６の処理を行う。
【００４７】
ステップＳ６３またはステップＳ６４において否定的な判定結果の場合（ステップＳ６３においてＮＯまたはステップＳ６４においてＮＯ）、制御部２６は、ステップＳ６５の処理を行う。
【００４８】
ステップＳ６５において、制御部２６は、測位部１４の測位によって得られる無線通信端末２００の位置を示す画像と、無線通信機器１００の位置を示す画像と、無線通信機器１００が無線通信に使用していると推定されるチャネルの受信レベルの変化に応じた画像とを表示部２５に表示させる。無線通信端末２００の位置を基準として無線基地局と無線通信機器１００とが同じ方向にない場合は、無線通信機器１００が使用していると推定されるチャネルの受信レベルが大きくなるにつれて、無線通信端末２００が無線通信機器１００に近づいていると推定することもできる。そこで、例えば、制御部２６は、無線通信機器１００が無線通信に使用していると推定されるチャネルの受信レベルの高低の変化に基づいて、ユーザに対し無線通信機器１００との距離が縮まっているか遠ざかっているかを表示部２５に表示することとしてもよい。例えば、制御部２６は、無線通信に使用されていると推定されるチャネルの受信レベルそのものをアイコン等により表示部２５に表示してもよい。また、制御部２６は、無線通信機器１００の位置を示す画像に、ＧＰＳや基地局測位の測位誤差を示す画像を含めて表示部２５に表示することとしてもよい。
【００４９】
ステップＳ６６において、制御部２６は、無線通信機器１００よりも無線基地局の方が無線通信端末２００に近い位置にあること（無線通信端末２００の位置を基準にしたときに無線通信機器１００が無線基地局よりも遠い位置にあること）と、ＧＰＳ測位によって得られる無線通信端末２００の位置と、無線通信機器１００の位置を示す画像とを表示部２５に表示する。
【００５０】
ステップＳ６７において、制御部２６は、ステップＳ５７で推定したチャネルの受信レベルを測定し、受信レベルが上昇しているか判定する。受信レベルが上昇していないと判定される場合（ステップＳ６７においてＮＯ）、制御部２６は、ステップＳ６９の処理を行う。
【００５１】
ステップＳ６９において、制御部２６は、無線通信機器１００が無線通信に使用していると推定されるチャネルを変更する。例えば、制御部２６は、ステップＳ５７において、発呼前後の各チャネルの受信レベルの変化に基づいて、各チャネルに優先順位をつけておき、ステップＳ６９において、優先順位に応じてチャネルを変更する。
【００５２】
以後、無線通信端末２００は、無線通信機器１００を探索する処理を終了する操作を無線通信端末２００が受け付けるまで、ステップＳ６３以降の処理を行う。
【００５３】
＜表示例＞
図６を参照して、上記の処理によって無線通信端末２００のユーザが無線通信機器１００を探索するためのインタフェースの例を説明する。図６は、実施の形態１における表示部２５の表示の具体例を示す図である。
【００５４】
図６に示すように、無線通信端末２００は、ＧＰＳ測位による無線通信端末２００の位置情報と、地図情報とに基づいて、無線通信端末２００の位置を示す現在地アイコン５３と、無線通信機器１００の位置を示す探索対象アイコン５４と、無線通信機器１００の位置の測位誤差を示す領域５５とを表示部２５に表示する（ステップＳ６５）。
【００５５】
無線通信端末２００は、電子コンパス機能により、無線通信端末２００の向きに応じて地図情報を表示部２５に表示するようにしてもよいし、常に表示部の上方向を北の方角を表すように表示してもよい。図６の例では、ユーザが無線通信端末２００を保持しており、無線通信機器１００が存在する方向へ無線通信端末２００を向けており、画面の下側に現在地アイコン５３が表示され、画面の上側に探索対象アイコン５４が表示されている場合を示している。コンパス５１は、地図情報における方角を示しており、ユーザが向いている方角を表示部２５に表示している。受信レベル表示領域５２は、ステップＳ５７で推定した、無線通信機器１００が無線通信に使用していると推定されるチャネルの受信レベルを表示している。
【００５６】
図７は、探索対象の無線通信機器１００が無線基地局よりも遠くにある場合の表示部２５の表示の例を示す図である。無線通信端末２００は、ステップＳ６６の処理により、無線通信端末２００の位置を基準にしたときに無線通信機器１００が無線基地局よりも遠い位置にあることを受信レベル表示領域５２に表示する。
【００５７】
＜実施の形態２＞
以下、実施の形態２について説明する。なお、本実施の形態に係る無線通信端末２００は、実施の形態１の無線通信端末のハードウェアと同じ構成である。したがって、同じハードウェアの構成の説明は繰り返さない。
【００５８】
図８および図９は、表示部２５の表示の例を示す図である。実施の形態１の例では、図６等において、無線通信端末２００の位置と無線通信機器１００の位置とを地図情報とともに表示部２５に表示しているが、図８に示すように、地図情報に重畳することなく各端末の位置を表示してもよい。これにより、地図情報の表示を待つことなく探索対象の無線通信機器１００の位置をディスプレイに表示することができる。
【００５９】
図９は、図８に示す状態からユーザが無線通信端末２００を保持する方向を調節して無線通信機器１００の存在する方向へ向けることにより、無線通信端末２００は、電子コンパス機能によって探索対象アイコン５４の表示位置が現在地アイコン５３の上方に位置するよう表示部２５の表示内容を制御する一例を示す。なお、図９では、無線通信端末２００が地図情報を表示部２５に表示しない場合を例に示しているが、表示部２５に地図情報を重畳して表示してもよい。
【００６０】
また、無線通信端末２００を保持しているユーザが移動した場合に、無線通信端末２００は、表示部２５に表示する画像を、地図を固定して現在地アイコン５３が動くように表示してもよいし、現在地アイコン５３を表示部２５において固定し、ユーザの移動に応じて地図が動くように表示してもよい。
【００６１】
一実施の形態にかかる無線通信端末は、プロセッサと、その上で実行されるプログラムにより実現される。本発明を実現するプログラムは、通信インタフェースを介してネットワークを利用した送受信等により提供される。
【００６２】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００６３】
１１  アンテナ、１２  無線通信部、１３  記憶部、１４  測位部、１５  表示部、１６  制御部、１７  チャネルテーブル、１８  通信制御部、１９  表示制御部、２１  アンテナ、２２  無線通信部、２３  記憶部、２４  測位部、２５  表示部、２６  制御部、２７  チャネルテーブル、２８  通信制御部、２９  表示制御部、３０  無線チャネル推定部、４１  チャネル、４２  発呼前受信レベル、４３  発呼中受信レベル、５１  コンパス、５２  受信レベル表示領域、５３  現在地アイコン、５４  探索対象アイコン、５５  領域、１００  無線通信機器、２００  無線通信端末、３００  無線基地局。
【図１】
2014175858.tif 000003
【図２】
2014175858.tif 000004
【図３】
2014175858.tif 000005
【図４】
2014175858.tif 000006
【図５】
2014175858.tif 000007
【図６】
2014175858.tif 000008
【図７】
2014175858.tif 000009
【図８】
2014175858.tif 000010
【図９】
2014175858.tif 000011